(57)【要約】【課題】シンプルな構成によりナットがボルトから緩みにくくなるような締結器具を提供する。【解決手段】締結器具は、ヘッド部１２から延びるよう設けられ第１の方向に巻く雄ネジ部分１４ａが外周面に形成された棒状の第１のネジ部１４および第１のネジ部１４の先端から延びるよう設けられ第１の方向とは逆方向の第２の方向に巻く雄ネジ部分１６ａが外周面に形成された棒状の第２のネジ部１６を有するＬＲボルト１０と、第１のネジ部１４の雄ネジ部分１４ａが螺合する雌ネジ部分２６ａが内周面に形成されたネジ穴２６が設けられているナット部２２および突起部２４とを有する本体ナット２０と、第２のネジ部１６の雄ネジ部分１６ａが螺合する雌ネジ部分３２ａが内周面に形成されたネジ穴３２が設けられている中間部材３２と、本体ナット２０の突起部２４および中間部材３０を覆う補助ナット４０とを備えている。【選択図】図１
2020109315.tif 000002
【特許請求の範囲】
【請求項１】
ヘッド部、前記ヘッド部から延びるよう設けられ第１の方向に巻く雄ネジ部分が外周面に形成された棒状の第１のネジ部および前記第１のネジ部の先端から延びるよう設けられ前記第１の方向とは逆方向の第２の方向に巻く雄ネジ部分が外周面に形成された棒状の第２のネジ部を有するボルトと、
ナット部、および前記ナット部から突出し、前記第２の方向に巻く雄ネジ部分が外周面に形成された突起部を有し、前記第１のネジ部の前記雄ネジ部分が螺合する雌ネジ部分が内周面に形成されたネジ穴が設けられている本体ナットと、
前記第２のネジ部の前記雄ネジ部分が螺合する雌ネジ部分が内周面に形成されたネジ穴が設けられている中間部材と、
前記本体ナットの前記突起部および前記中間部材を覆い、前記本体ナットの前記突起部の外周面に形成された前記雄ネジ部分が螺合する雌ネジ部分が内周面に形成された中空部分が形成されている補助ナットと、
を備えた、締結器具。
【請求項２】
前記ボルトにおいて前記第１のネジ部の直径は前記第２のネジ部の直径よりも大きくなっている、請求項１記載の締結器具。
【請求項３】
前記補助ナットにおける前記中空部分の内周面は、前記本体ナットの前記突起部および前記中間部材を覆った状態で前記補助ナットが前記本体ナットの前記突起部に取り付けられたときに前記中間部材の外周面に接触するような構成となっている、請求項１または２記載の締結器具。
【請求項４】
前記中間部材は円錐台の形状となっている、請求項１乃至３のいずれか一項に記載の締結器具。
【請求項５】
前記補助ナットにおける前記中空部分の内周面には、前記本体ナットの前記突起部および前記中間部材を覆った状態で前記補助ナットが前記本体ナットの前記突起部に取り付けられたときに前記中間部材の側面に接触するテーパ部分が形成されている、請求項４記載の締結器具。
【請求項６】
前記本体ナットの前記ネジ穴の内周面に形成されている前記雌ネジ部分は、前記ボルトの前記第１のネジ部における右ネジの前記雄ネジ部分が螺合するものであり、前記中間部材の前記ネジ穴の内周面に形成されている前記雌ネジ部分は、前記ボルトの前記第２のネジ部における左ネジの前記雄ネジ部分が螺合するものであり、前記補助ナットの前記中空部分の内周面に形成されている前記雌ネジ部分は、前記本体ナットの前記突起部における左ネジの前記雄ネジ部分が螺合するものである、請求項１乃至５のいずれか一項に記載の締結器具。
【請求項７】
前記本体ナットの前記ネジ穴の内周面に形成されている前記雌ネジ部分は、前記ボルトの前記第１のネジ部における左ネジの前記雄ネジ部分が螺合するものであり、前記中間部材の前記ネジ穴の内周面に形成されている前記雌ネジ部分は、前記ボルトの前記第２のネジ部における右ネジの前記雄ネジ部分が螺合するものであり、前記補助ナットの前記中空部分の内周面に形成されている前記雌ネジ部分は、前記本体ナットの前記突起部における右ネジの前記雄ネジ部分が螺合するものである、請求項１乃至５のいずれか一項に記載の締結器具。
【発明の詳細な説明】
【技術分野】
【０００１】
本発明は、ボルトおよびナットからなる締結器具に関する。
【背景技術】
【０００２】
従来から、例えばある部材に別の部材を取り付ける際に、ボルトおよびナットを用いる方法が知られている。このようなボルトおよびナットを用いた締結構造としては、例えば特許文献１等に開示されるものがある。特許文献１に開示される締結構造では、締結状態では緩まず、メンテナンス時においては簡単に緩めることができて、ボルトやナットの再利用が可能となる。
【先行技術文献】
【特許文献】
【０００３】
【特許文献１】特開２０１８−１３８８１４号公報
【発明の概要】
【発明が解決しようとする課題】
【０００４】
従来では、ボルトにナットが締結された状態でナットが緩みにくくするには複雑な構造とする必要があり、コストが大きくなったり締結を行う作業に手間がかかったりするという問題があった。
【０００５】
本発明は、上記の点を考慮してなされたものであり、シンプルな構成によりナットがボルトから緩みにくくなるような締結器具を提供することを目的とする。
【課題を解決するための手段】
【０００６】
本発明の締結器具は、ヘッド部、前記ヘッド部から延びるよう設けられ第１の方向に巻く雄ネジ部分が外周面に形成された棒状の第１のネジ部および前記第１のネジ部の先端から延びるよう設けられ前記第１の方向とは逆方向の第２の方向に巻く雄ネジ部分が外周面に形成された棒状の第２のネジ部を有するボルトと、ナット部、および前記ナット部から突出し、前記第２の方向に巻く雄ネジ部分が外周面に形成された突起部を有し、前記第１のネジ部の前記雄ネジ部分が螺合する雌ネジ部分が内周面に形成されたネジ穴が設けられている本体ナットと、前記第２のネジ部の前記雄ネジ部分が螺合する雌ネジ部分が内周面に形成されたネジ穴が設けられている中間部材と、前記本体ナットの前記突起部および前記中間部材を覆い、前記本体ナットの前記突起部の外周面に形成された前記雄ネジ部分が螺合する雌ネジ部分が内周面に形成された中空部分が形成されている補助ナットと、を備えたことを特徴とする。
【０００７】
このような締結器具によれば、ボルトにおいて第１のネジ部および第２のネジ部はネジ山の巻く向きが逆向きとなっており、しかもボルトの第１のネジ部および本体ナットの突起部はネジ山の巻く向きが逆向きとなっている。しかも、補助ナットが本体ナットの突起部および中間部材を覆うよう、補助ナットが本体ナットの突起部に取り付けられている。このことにより、締結器具により締結される部材に衝撃が与えられたり、ボルトや本体ナット自体に衝撃が与えられたりすることにより、本体ナットに対してボルトの第１のネジ部から緩む方向の力がかかったとしても、本体ナットがボルトの第１のネジ部から緩むことが防止される。
【０００８】
本発明の締結器具においては、前記ボルトにおいて前記第１のネジ部の直径は前記第２のネジ部の直径よりも大きくなっていてもよい。
【０００９】
また、前記補助ナットにおける前記中空部分の内周面は、前記本体ナットの前記突起部および前記中間部材を覆った状態で前記補助ナットが前記本体ナットの前記突起部に取り付けられたときに前記中間部材の外周面に接触するような構成となっていてもよい。
【００１０】
また、前記中間部材は円錐台の形状となっていてもよい。
【００１１】
この場合、前記補助ナットにおける前記中空部分の内周面には、前記本体ナットの前記突起部および前記中間部材を覆った状態で前記補助ナットが前記本体ナットの前記突起部に取り付けられたときに前記中間部材の側面に接触するテーパ部分が形成されていてもよい。
【００１２】
また、前記本体ナットの前記ネジ穴の内周面に形成されている前記雌ネジ部分は、前記ボルトの前記第１のネジ部における右ネジの前記雄ネジ部分が螺合するものであり、前記中間部材の前記ネジ穴の内周面に形成されている前記雌ネジ部分は、前記ボルトの前記第２のネジ部における左ネジの前記雄ネジ部分が螺合するものであり、前記補助ナットの前記中空部分の内周面に形成されている前記雌ネジ部分は、前記本体ナットの前記突起部における左ネジの前記雄ネジ部分が螺合するものであってもよい。
【００１３】
あるいは、前記本体ナットの前記ネジ穴の内周面に形成されている前記雌ネジ部分は、前記ボルトの前記第１のネジ部における左ネジの前記雄ネジ部分が螺合するものであり、前記中間部材の前記ネジ穴の内周面に形成されている前記雌ネジ部分は、前記ボルトの前記第２のネジ部における右ネジの前記雄ネジ部分が螺合するものであり、前記補助ナットの前記中空部分の内周面に形成されている前記雌ネジ部分は、前記本体ナットの前記突起部における右ネジの前記雄ネジ部分が螺合するものであってもよい。
【発明の効果】
【００１４】
本発明の締結器具によれば、シンプルな構成によりナットがボルトから緩みにくくなるようにすることができる。
【図面の簡単な説明】
【００１５】
【図１】本発明の実施の形態による締結器具の構成を示す側面図である。
【図２】図１に示す締結器具におけるＬＲボルトの構成を示す側面図である。
【図３】図１に示す締結器具における本体ナットの構成を示す斜視図である。
【図４】図３に示す本体ナットの側面図である。
【図５】図３に示す本体ナットの上面図である。
【図６】図１に示す締結器具における中間部材の構成を示す斜視図である。
【図７】図６に示す中間部材の側面図である。
【図８】図６に示す中間部材の上面図である。
【図９】図１に示す締結器具における補助ナットの構成を示す斜視図である。
【図１０】図９に示す補助ナットの側面図である。
【図１１】図９に示す補助ナットの上面図である。
【図１２】図１に示す締結器具により第１の部材に第２の部材を固定する方法を示す説明図である。
【発明を実施するための形態】
【００１６】
以下、図面を参照して本発明の実施の形態について説明する。図１乃至図１２は、本発明の形態に係る締結器具およびこのような締結器具による締結方法を示す図である。本実施の形態に係る締結器具は、例えば第１の部材１００に第２の部材１０２を固定するものである。このような締結器具の構成の詳細について以下に説明する。
【００１７】
図１に示すように、本実施の形態に係る締結器具は、ＬＲボルト１０と、本体ナット２０と、中間部材３０と、補助ナット４０とを備えており、中間部材３０が補助ナット４０により覆われるよう本体ナット２０および補助ナット４０がＬＲボルト１０に取り付けられることにより第１の部材１００に第２の部材１０２が固定されるようになっている。このような締結器具の各構成要素の詳細について以下に説明する。
【００１８】
図２に示すように、ＬＲボルト１０は、ヘッド部１２と、ヘッド部１２から延びるよう設けられた棒状の第１のネジ部１４と、第１のネジ部１４の先端から延びるよう設けられた棒状の第２のネジ部１６とを有している。ここで、第１のネジ部１４における長手方向に延びる中心線と第２のネジ部１６における長手方向に延びる中心線とが一致するようになっている。また、第１のネジ部１４の外周面には右ネジの雄ネジ部分１４ａが形成されている。一方、第２のネジ部１６の外周面には左ネジの雄ネジ部分１６ａが形成されている。このように、第１のネジ部１４および第２のネジ部１６は、ネジ山の巻く向きが逆向きとなっている。また、図２に示すように、ＬＲボルト１０において第１のネジ部１４の直径は第２のネジ部１６の直径よりも大きくなっている。
【００１９】
図３乃至図５に示すように、本体ナット２０は、六角ナットからなるナット部２２と、ナット部２２の上面から上方に突出した突起部２４とを有している。また、これらのナット部２２および突起部２４には、断面が略円形であるネジ穴２６がナット部２２および突起部２４を貫通するよう形成されており、このネジ穴２６の内周面には、ＬＲボルト１０の第１のネジ部１４における右ネジの雄ネジ部分１４ａに対応する雌ネジ部分２６ａが形成されている。そして、本体ナット２０におけるネジ穴２６の内周面に形成される雌ネジ部分２６ａに、ＬＲボルト１０の第１のネジ部１４の雄ネジ部分１４ａが螺合されることにより、ＬＲボルト１０の第１のネジ部１４に本体ナット２０が取り付けられるようになっている。より詳細には、ＬＲボルト１０の第１のネジ部１４に対して、本体ナット２０を図３における右回り（時計回りの方向）に回転させながらネジ穴２６の雌ネジ部分２６ａに第１のネジ部１４の雄ネジ部分１４ａが嵌まり込むようにする。また、突起部２４は略円柱形状となっており、この突起部２４の外周面には左ネジの雄ネジ部分２４ａが形成されている。また、本体ナット２０の高さは、第２の部材１０２が本体ナット２０により第１の部材１００に取り付けられた場合において、第１のネジ部１４における第２の部材１０２から突出した長さと同じか、この突出した長さよりもわずかに大きくなっている。
【００２０】
図６乃至図８に示すように、中間部材３０は、円を底面とした錐台である円錐台の形状となっている。言い換えると、中間部材３０は、円錐を底面に平行な平面で切り、小円錐の部分を除いた立体図形である。このような中間部材３０の側面３０ａは、円錐台の軸線（すなわち、図７において上下方向に延びる線）に対して傾斜するようなテーパ状となっている。また、中間部材３０にはネジ穴３２が中間部材３０を貫通するよう形成されており、このネジ穴３２の内周面には、ＬＲボルト１０の第２のネジ部１６における左ネジの雄ネジ部分１６ａに対応する雌ネジ部分３２ａが形成されている。そして、中間部材３０におけるネジ穴３２の内周面に形成される雌ネジ部分３２ａに、ＬＲボルト１０の第２のネジ部１６の雄ネジ部分１６ａが螺合されることにより、ＬＲボルト１０の第２のネジ部１６に中間部材３０が取り付けられるようになっている。より詳細には、ＬＲボルト１０の第２のネジ部１６に対して、中間部材３０を図６における左回り（反時計回りの方向）に回転させながらネジ穴３２の雌ネジ部分３２ａに第２のネジ部１６の雄ネジ部分１６ａが嵌まり込むようにする。
【００２１】
図９乃至図１１に示すように、補助ナット４０は例えば六角ナットから構成されており、この補助ナット４０には中空部分４２が形成されている。ここで、図１０に示すように、中空部分４２は補助ナット４０を貫通しており、ＬＲボルト１０の第２のネジ部１６をこの中空部分４２に通すことができるようになっている。より詳細には、図１０に示すように、補助ナット４０における中空部分４２に面する内周面は、テーパ部分４２ａおよびこのテーパ部分４２ａに引き続く雌ネジ部分４２ｂから構成されている。テーパ部分４２ａは、補助ナット４０の軸線（すなわち、図１０において上下方向に延びる線）に対して傾斜しており、このテーパ部分４２ａは中間部材３０の側面３０ａに適合するような構成となっている。言い換えると、補助ナット４０の中空部分４２に中間部材３０が挿入されたときに、この中間部材３０の側面３０ａが補助ナット４０のテーパ部分４２ａに接触するようになるが、この際に中間部材３０の側面３０ａと補助ナット４０のテーパ部分４２ａとの間に隙間が生じないようになる。また、補助ナット４０における中空部分４２の内周面に形成される雌ネジ部分４２ｂは、本体ナット２０の突起部２４における左ネジの雄ネジ部分２４ａに対応している。そして、補助ナット４０の中空部分４２の雌ネジ部分４２ｂに本体ナット２０の突起部２４の雄ネジ部分２４ａが螺合されることにより、本体ナット２０に補助ナット４０が取り付けられるようになっている。より詳細には、本体ナット２０の突起部２４に対して、補助ナット４０を図９における左回り（反時計回りの方向）に回転させながら中空部分４２の雌ネジ部分４２ｂに突起部２４の雄ネジ部分２４ａが嵌まり込むようにする。
【００２２】
次に、本実施の形態の締結器具を用いて第１の部材１００に第２の部材１０２を固定するときの動作について図１２を用いて以下に説明する。
【００２３】
最初に、ＬＲボルト１０の第１のネジ部１４および第２のネジ部１６を、第１の部材１００および第２の部材１０２にそれぞれ形成されている貫通穴（図示せず）に通すことにより、ＬＲボルト１０の第１のネジ部１４および第２のネジ部１６が第２の部材１０２から突出するようにする。次に、図１２（ａ）に示すように、本体ナット２０をＬＲボルト１０の第１のネジ部１４に取り付ける。具体的には、ＬＲボルト１０の第１のネジ部１４に対して、本体ナット２０を図３における右回り（時計回りの方向）に回転させながらネジ穴２６の雌ネジ部分２６ａに第１のネジ部１４の雄ネジ部分１４ａが嵌まり込むようにする。また、本体ナット２０の底面が第２の部材１０２に接触するまで本体ナット２０をＬＲボルト１０の第１のネジ部１４に締め付ける。このときに、本体ナット２０の高さが、第１のネジ部１４における第２の部材１０２から突出した長さと同じか、この突出した長さよりもわずかに大きくなっているため、第１のネジ部１４が本体ナット２０により隠れるようになる。
【００２４】
次に、図１２（ｂ）に示すように、中間部材３０をＬＲボルト１０の第２のネジ部１６に取り付ける。具体的には、ＬＲボルト１０の第２のネジ部１６に対して、中間部材３０を図６における左回り（反時計回りの方向）に回転させながらネジ穴３２の雌ネジ部分３２ａに第２のネジ部１６の雄ネジ部分１６ａが嵌まり込むようにする。また、中間部材３０の底面が本体ナット２０の突起部２４に接触するまで中間部材３０をＬＲボルト１０の第２のネジ部１６に締め付ける。次に、図１２（ｃ）に示すように、補助ナット４０を本体ナット２０の突起部２４および中間部材３０に被せ、この補助ナット４０を本体ナット２０の突起部２４に取り付けるようにする。具体的には、補助ナット４０を本体ナット２０の突起部２４および中間部材３０に被せた後、補助ナット４０を図９における左回り（反時計回りの方向）に回転させながら中空部分４２の雌ネジ部分４２ｂに本体ナット２０の突起部２４の雄ネジ部分２４ａが嵌まり込むようにする。そして、補助ナット４０の内部で中間部材３０の側面３０ａが補助ナット４０のテーパ部分４２ａに接触し、中間部材３０の側面３０ａと補助ナット４０のテーパ部分４２ａとの間に隙間が生じなくなるまで、補助ナット４０を本体ナット２０の突起部２４に締め付ける。このようにして、図１２（ｄ）に示すように、本体ナット２０および中間部材３０がそれぞれＬＲボルト１０の第１のネジ部１４および第２のネジ部１６に取り付けられた状態で、補助ナット４０により本体ナット２０の突起部２４および中間部材３０が覆われるようになる。また、中間部材３０が補助ナット４０により覆われたときに、この中間部材３０に対してＬＲボルト１０の第２のネジ部１６から緩む方向の力が加えられたとしても、中間部材３０が円錐台の形状となっているため、中間部材３０が補助ナット４０から抜け出してしまうことが防止される。
【００２５】
このような締結器具では、ＬＲボルト１０において第１のネジ部１４および第２のネジ部１６はネジ山の巻く向きが逆向きとなっており、しかもＬＲボルト１０の第１のネジ部１４および本体ナット２０の突起部２４はネジ山の巻く向きが逆向きとなっているため、本体ナット２０および中間部材３０がＬＲボルト１０から緩みにくくなるという作用効果が得られる。より詳細には、ナットがボルトから緩む要因としては、第１の部材１００や第２の部材１０２等に衝撃が与えられたり、ナットやボルト自体に衝撃が与えられたりすることにより、ナットに対してボルトに締め付けられる方向と逆方向の力がかかることにより、ナットがボルトから緩んでしまうことが考えられる。これに対し、本実施の形態では、上述したように、ＬＲボルト１０において第１のネジ部１４および第２のネジ部１６はネジ山の巻く向きが逆向きとなっており、第１のネジ部１４および第２のネジ部１６にそれぞれ本体ナット２０および中間部材３０が取り付けられている。しかも、補助ナット４０が本体ナット２０の突起部２４および中間部材３０を覆うよう、補助ナット４０が本体ナット２０の突起部２４に取り付けられている。このため、第１の部材１００や第２の部材１０２等に衝撃が与えられたり、ＬＲボルト１０や本体ナット２０自体に衝撃が与えられたりすることにより、本体ナット２０に対してＬＲボルト１０の第１のネジ部１４から緩む方向の力がかかったとしても、中間部材３０はＬＲボルト１０の第２のネジ部１６から緩まないため、本体ナット２０がＬＲボルト１０の第１のネジ部１４から緩むことが防止される。
【００２６】
より詳細に説明すると、本実施の形態では、中間部材３０がＬＲボルト１０の第２のネジ部１６に取り付けられており、しかもこの中間部材３０は補助ナット４０により覆われている。また、補助ナット４０は本体ナット２０の突起部２４に取り付けられているが、本体ナット２０の突起部２４に補助ナット４０を締め付ける向きと、本体ナット２０をＬＲボルト１０の第１のネジ部１４に締め付ける向きとが逆になっている。このため、本体ナット２０に対してＬＲボルト１０の第１のネジ部１４から緩む方向の力がかかったときに、例えば補助ナット４０にも同じ向きの力がかかった場合でも、この力の向きは補助ナット４０を本体ナット２０の突起部２４に締め付けようとする向きとなるため、補助ナット４０が本体ナット２０の突起部２４から緩んでしまうことはない。そして、本体ナット２０に対してＬＲボルト１０の第１のネジ部１４から緩む方向の力がかかっても、補助ナット４０により覆われた中間部材３０により本体ナット２０は第２の部材１０２側に押さえ付けられるため、本体ナット２０がＬＲボルト１０の第１のネジ部１４から緩んでしまうことを防止することができる。
【００２７】
なお、本実施の形態の締結器具は、上記の構成に限定されることはない。本実施の形態の締結器具の他の例として、ＬＲボルト１０の第１のネジ部１４の外周面に、右ネジではなく左ネジの雄ネジ部分１４ａが形成されており、本体ナット２０のネジ穴２６の内周面に、左ネジの雄ネジ部分１４ａが螺合する雌ネジ部分２６ａが形成されていてもよい。この場合には、本体ナット２０の突起部２４の外周面には、左ネジではなく右ネジの雄ネジ部分２４ａが形成されるとともに、補助ナット４０の中空部分４２の内周面に、右ネジの雄ネジ部分２４ａが螺合する雌ネジ部分４２ｂが形成されるようになる。また、ＬＲボルト１０の第２のネジ部１６の外周面に、左ネジではなく右ネジの雄ネジ部分１６ａが形成され、中間部材３０のネジ穴３２の内周面に、右ネジの雄ネジ部分１６ａが螺合する雌ネジ部分３２ａが形成されるようになる。このような締結器具でも、ＬＲボルト１０において第１のネジ部１４および第２のネジ部１６はネジ山の巻く向きが逆向きとなっており、しかもＬＲボルト１０の第１のネジ部１４および本体ナット２０の突起部２４はネジ山の巻く向きが逆向きとなっているため、本体ナット２０がＬＲボルト１０から緩んでしまうことを抑制することができるようになる。
【００２８】
また、中間部材３０は円錐台の形状のものに限定されることはない。中間部材３０として、補助ナット４０により覆われたときにこの補助ナット４０から上方に抜け出すことがないような形状であれば、円錐台の形状以外のものが用いられてもよい。本実施の形態による締結器具の更に他の例として、ネジ穴３２が形成された略円柱形状の中間部材３０が用いられてもよい。略円柱形状の中間部材３０が用いられる場合には、補助ナット４０には、この補助ナット４０の中空部分４２から中間部材３０が上方に抜け出てしまうことを防止するための抜け防止部材が設けられることが好ましい。また、ＬＲボルト１０の第２のネジ部１６の長さが比較的短い場合には、補助ナット４０として、中間部材３０を覆うことができるものであれば、中空部分４２が補助ナット４０を貫通していないものが用いられてもよい。
【符号の説明】
【００２９】
１０    ＬＲボルト
１２    ヘッド部
１４    第１のネジ部
１４ａ  雄ネジ部分
１６    第２のネジ部
１６ａ  雄ネジ部分
２０    本体ナット
２２    ナット部
２４    突起部
２４ａ  雄ネジ部分
２６    ネジ穴
２６ａ  雌ネジ部分
３０    中間部材
３０ａ  側面
３２    ネジ穴
３２ａ  雌ネジ部分
４０    補助ナット
４２    中空部分
４２ａ  テーパ部分
４２ｂ  雌ネジ部分
１００  第１の部材
１０２  第２の部材
【図１】
2020109315.tif 000003
【図２】
2020109315.tif 000004
【図３】
2020109315.tif 000005
【図４】
2020109315.tif 000006
【図５】
2020109315.tif 000007
【図６】
2020109315.tif 000008
【図７】
2020109315.tif 000009
【図８】
2020109315.tif 000010
【図９】
2020109315.tif 000011
【図１０】
2020109315.tif 000012
【図１１】
2020109315.tif 000013
【図１２】
2020109315.tif 000014